(57)【要約】【課題】  従来の技術による諸問題を解決するための表示装置の表示制御システムを提供する。【解決手段】  表示制御システムは、データ信号とスキャン信号を生成する画像制御回路と、画像制御回路に結合され、表示装置のスキャンライン電流分布に基づいて補償信号を生成する補償回路と、画像制御回路と補償回路に結合され、補償回路による補償信号と画像制御回路によるデータ信号に基づきデータ駆動信号を表示装置のデータラインに出力し、画像制御回路によるスキャン信号に基づきスキャン駆動信号を表示装置のスキャンラインに出力して、表示装置に画像を表示させる駆動回路からなる。【選択図】      図５
0003129031.tif 000002
【実用新案登録請求の範囲】
【請求項１】
表示装置の表示制御システムであって、
データ信号とスキャン信号を生成する画像制御回路と、
画像制御回路に結合され、表示装置のスキャンライン電流分布に基づいて補償信号を生成する補償回路と、
画像制御回路と補償回路に結合され、補償回路による補償信号と画像制御回路によるデータ信号に基づきデータ駆動信号を表示装置のデータラインに出力し、画像制御回路によるスキャン信号に基づきスキャン駆動信号を表示装置のスキャンラインに出力して、表示装置に画像を表示させる駆動回路からなることを特徴とする表示制御システム。
【請求項２】
前記表示制御システムは更に、表示装置と画像制御回路との間に結合される電流計を含み、該電流計は表示装置のスキャンライン電流分布を測定するものであることを特徴とする請求項１記載の表示制御システム。
【請求項３】
前記表示装置が有機発光ダイオード（ＯＬＥＤ）表示装置であることを特徴とする請求項１記載の表示制御システム。
【請求項４】
フラットパネル表示器であって、
画像を表示する表示装置と、
表示装置に結合される表示制御システムからなり、該表示制御システムは、
データ信号とスキャン信号を生成する画像制御回路と、
画像制御回路に結合され、表示装置のスキャンライン電流分布に基づいて補償信号を生成する補償回路と、
画像制御回路、補償回路及び表示装置に結合され、補償回路による補償信号と画像制御回路によるデータ信号に基づきデータ駆動信号を表示装置のデータラインに出力し、画像制御回路によるスキャン信号に基づきスキャン駆動信号を表示装置のスキャンラインに出力して、表示装置に画像を表示させる駆動回路とを含むことを特徴とするフラットパネル表示器。
【請求項５】
前記フラットパネル表示器は更に、表示装置と画像制御回路との間に結合される電流計を含み、該電流計は表示装置のスキャンライン電流分布を測定するものであることを特徴とする請求項４記載のフラットパネル表示器。
【請求項６】
前記表示装置がＯＬＥＤ表示装置であることを特徴とする請求項４記載のフラットパネル表示器。
【請求項７】
表示アレイの表示制御システムであって、
データ信号とスキャン信号を生成する画像制御回路と、
所定参考対照表に基づいて補償信号を生成する補償回路と、
画像制御回路と補償回路に結合され、補償回路による補償信号と画像制御回路によるデータ信号に基づきデータ駆動信号を表示装置のデータラインに出力し、画像制御回路によるスキャン信号に基づきスキャン駆動信号を表示装置のスキャンラインに出力して、表示装置に画像を表示させる駆動回路からなることを特徴とする表示制御システム。
【請求項８】
前記表示アレイがＯＬＥＤ表示アレイであることを特徴とする請求項７記載の表示制御システム。
【請求項９】
前記所定参考対照表が表示装置のスキャンライン電流分布に基づいて作成されたものであることを特徴とする請求項７記載の表示制御システム。
【請求項１０】
フラットパネル表示器であって、
画像を表示する表示装置と、
表示装置に結合される表示制御システムからなり、該表示制御システムは、
表示装置に結合され、データ信号とスキャン信号を生成する画像制御回路と、
画像制御回路に結合され、所定参考対照表に基づいて補償信号を生成する補償回路と、
画像制御回路、補償回路及び表示装置に結合され、補償回路による補償信号と画像制御回路によるデータ信号に基づきデータ駆動信号を表示装置のデータラインに出力し、画像制御回路によるスキャン信号に基づきスキャン駆動信号を表示装置のスキャンラインに出力して、表示装置に画像を表示させる駆動回路とを含むことを特徴とするフラットパネル表示器。
【請求項１１】
前記所定参考対照表が表示装置のスキャンライン電流分布に基づいて作成されたものであることを特徴とする請求項１０記載のフラットパネル表示器。
【請求項１２】
前記表示アレイがＯＬＥＤ表示アレイであることを特徴とする請求項１０記載のフラットパネル表示器。
【考案の詳細な説明】
【技術分野】
【０００１】
この考案は表示制御システムに関し、特に表示装置の表示制御システムに関する。
【背景技術】
【０００２】
有機発光ダイオード（ＯＬＥＤ）は電流駆動素子の一種であり、その輝度は通過する電流によって決められる。マトリックス型表示パネルにおけるＯＬＥＤの応用に関して、ＯＬＥＤの駆動電流を制御してさまざまな輝度（グレイスケール）を表示させることが一般である。
【０００３】
図１と図２を参照する。図１は従来の表示制御システム１を表す説明図であり、図２は図１の表示制御システム１の表示パネル１０を表す説明図である。表示制御システム１は表示パネル１０と、画像制御回路１２と、駆動回路１４を含む。画像制御回路１２はデータ信号とスキャン信号を生成し、駆動回路１４は制御回路１２によるデータ信号とスキャン信号に基づいてデータ駆動信号とスキャン駆動信号を生成して表示パネル１０のデータライン１５とスキャンライン１１、１３に出力する。表示パネル１０のデータライン１５とスキャンライン１１、１３の配列に関しては、図２に見るように、スキャンライン１１、１３が交錯している。もっとも、表示パネル１０のスキャンライン１１、１３が交錯していない配列も可能である。例えばスキャンライン１１を表示パネル１０の上半部に設け、スキャンライン１３を表示パネル１０の下半部に設けることが可能である。
【０００４】
図２を参照する。スキャンライン１１、１３は交錯配列されている。表示パネル１０のスキャンライン１１、１３がインピーダンスを有するため、電源供給端が電流をスキャンラインの開始端に電流を供給すると、スキャンライン１１、１３の開始端から終了端に走る電流はインピーダンスの影響を受けて次第に小さくなる。したがって、図３と図４に示されるように、同一のスキャンラインの各表示点を通る電流が異なっている。
【０００５】
ＯＬＥＤの駆動電流分布が不均一になると、表示パネルの明暗も不均一になり、表示パネルの左右両側の輝度が足りないようになる。特に大型パネルでは、表示パネルのピクセル輝度の不均一は、表示パネル全体のグレイスケール値と駆動回路によるグレイスケール値を不一致にさせ、深刻な場合は画像に歪みを生じさせることもある。
【考案の開示】
【考案が解決しようとする課題】
【０００６】
この考案は前述の問題を解決するための表示装置の表示制御システムを提供することを課題とする。
【課題を解決するための手段】
【０００７】
この考案は表示装置の表示制御システムを提供する。表示制御システムは、データ信号とスキャン信号を生成する画像制御回路と、画像制御回路に結合され、表示装置のスキャンライン電流分布に基づいて補償信号を生成する補償回路と、画像制御回路と補償回路に結合され、補償回路による補償信号と画像制御回路によるデータ信号に基づきデータ駆動信号を表示装置のデータラインに出力し、画像制御回路によるスキャン信号に基づきスキャン駆動信号を表示装置のスキャンラインに出力して、表示装置に画像を表示させる駆動回路からなる。
【０００８】
この考案は下記のようなフラットパネル表示器を提供する。フラットパネル表示器は、画像を表示する表示装置と、表示装置に結合される表示制御システムからなる。該表示制御システムは、データ信号とスキャン信号を生成する画像制御回路と、画像制御回路に結合され、表示装置のスキャンライン電流分布に基づいて補償信号を生成する補償回路と、画像制御回路、補償回路及び表示装置に結合され、補償回路による補償信号と画像制御回路によるデータ信号に基づきデータ駆動信号を表示装置のデータラインに出力し、画像制御回路によるスキャン信号に基づきスキャン駆動信号を表示装置のスキャンラインに出力して、表示装置に画像を表示させる駆動回路とを含む。
【０００９】
この考案は下記のような表示アレイの表示制御システムを提供する。表示制御システムは、データ信号とスキャン信号を生成する画像制御回路と、所定参考対照表に基づいて補償信号を生成する補償回路と、画像制御回路と補償回路に結合され、補償回路による補償信号と画像制御回路によるデータ信号に基づきデータ駆動信号を表示装置のデータラインに出力し、画像制御回路によるスキャン信号に基づきスキャン駆動信号を表示装置のスキャンラインに出力して、表示装置に画像を表示させる駆動回路からなる。
【００１０】
この考案は下記のようなフラットパネル表示器を提供する。フラットパネル表示器は、画像を表示する表示装置と、表示装置に結合される表示制御システムからなる。該表示制御システムは、表示装置に結合され、データ信号とスキャン信号を生成する画像制御回路と、画像制御回路に結合され、所定参考対照表に基づいて補償信号を生成する補償回路と、画像制御回路、補償回路及び表示装置に結合され、補償回路による補償信号と画像制御回路によるデータ信号に基づきデータ駆動信号を表示装置のデータラインに出力し、画像制御回路によるスキャン信号に基づきスキャン駆動信号を表示装置のスキャンラインに出力して、表示装置に画像を表示させる駆動回路とを含む。
【考案の効果】
【００１１】
この考案はデータ駆動信号を補償することによって、スキャンラインの開始端から終了端までの電流逓減問題を解決する。当該補償は、表示パネル内のスキャンライン電流分布、または関数曲線を含んだ参考対照表に基づいて行われる。それにより、この考案は表示パネルの輝度不均一と左右両側の輝度不足問題を解決できる。
【考案を実施するための最良の形態】
【００１２】
かかる装置の特徴を詳述するために、具体的な実施例を挙げ、図示を参照して以下に説明する。
【実施例１】
【００１３】
この考案はデータ駆動信号を補償することによって、スキャンラインの開始端から終了端までの電流逓減による電流分布の不均一の問題を解決する。
【００１４】
図５を参照する。図５はこの考案の実施例１による表示制御システム２を表す説明図である。表示制御システム２は表示パネル１０と、画像制御回路１２と、駆動回路２４と、補償回路２６と、電流計２８を含む。電流計２８は表示パネル１０のスキャンラインからフィードバックされた電流分布を測定し、画像制御回路１２は電流計２８の測定結果に基づいて制御信号を補償回路２６に送信する。それを受けて、補償回路２６は表示パネル１０のスキャンライン電流分布に基づき補償信号を生成する。駆動回路２４は画像制御回路１２のデータ信号とスキャン信号のほかにも、補償回路２６の補償信号をも受信する。駆動回路２４は補償回路２６の補償信号と画像制御回路１２のデータ信号に基づいて補償済みのデータ駆動信号を生成する。この考案によるデータ駆動信号は図１のデータ駆動信号と異なり、その相違点については後述を参照する。
【実施例２】
【００１５】
図６を参照する。図６はこの考案の実施例２による表示制御システム３を表す説明図である。表示制御システム３は表示パネル１０と、画像制御回路１２と、駆動回路２４と、補償回路２６と、所定参考対照表３０を含む。表示制御システム３は所定参考対照表３０を調べて妥当なデータを画像制御回路１２に提供し、画像制御回路１２は制御信号を補償回路２６に送信する。それを受けて、補償回路２６は所定参考対照表３０の補償関数曲線に基づいて補償信号を生成し、駆動回路２４は補償回路２６の補償信号と画像制御回路１２のデータ信号に基づいて補償済みのデータ駆動信号を生成する。所定参考対照表３０は表示パネル１０に関する各メーカーの参考データに基づいて換算して得たものである。
【００１６】
この考案は図３と図４の電流逓減の補償を内容とし、その補償については図７と図８を参照する。図７と図８は図３と図４の電流逓減に対する補償をそれぞれ表している。図７と図８に示されるような各データライン０〜ｎに対応する補償値を利用すれば、左右両端が一致するようにスキャンライン１１、１３の電流を補償できる。図９と図１０を参照する。図９と図１０は従来の技術及びこの考案によるデータ駆動信号をそれぞれ表している。従来のデータ駆動信号の駆動時間ｔ１はすべて同一である（図９を参照する）。データラインが左から右まで逓増するとすれば、スキャンライン１３を補償しようとする場合、スキャンライン１３の開始端をデータラインｎに対応させる。したがって、図１のデータライン０〜ｍにおいて、スキャンライン１３の終了端の輝度を補償するため駆動時間ｔ２を増やす必要がある。ｍの値に関しては０≦ｍ＜ｎである。この考案はデータ駆動信号の駆動時間を延ばすことによって、相応の発光素子のターンオン時間を長くし、スキャンラインの電流逓減問題を解決するとともに発光素子の表示輝度を均一にさせる。データ駆動信号の駆動時間の延長はパルス幅変調（ＰＷＭ）で実行される。
【００１７】
なお、この考案の適する表示装置はＯＬＥＤフラットパネル表示装置、またはその他の電流駆動素子からなる表示装置を含む。そのほか、表示パネルにおけるスキャンラインの配列は図２に限らず、それ以外のスキャンライン配列もこの考案に属する。
【００１８】
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【産業上の利用可能性】
【００１９】
この考案はデータ駆動信号を補償することによって、スキャンラインの開始端から終了端までの電流逓減による電流分布の不均一の問題を解決する。
【図面の簡単な説明】
【００２０】
【図１】従来の表示制御システムを表す説明図である。
【図２】図１の表示制御システムの表示パネルを表す説明図である。
【図３】図１のスキャンラインの電流分布を表す説明図である。
【図４】図１におけるその他のスキャンラインの電流分布を表す説明図である。
【図５】この考案の実施例１による表示制御システムを表す説明図である。
【図６】この考案の実施例２による表示制御システムを表す説明図である。
【図７】図３の電流逓減に対する補償を表す説明図である。
【図８】図４の電流逓減に対する補償を表す説明図である。
【図９】従来の技術によるデータ駆動信号を表す説明図である。
【図１０】この考案によるデータ駆動信号を表す説明図である。
【符号の説明】
【００２１】
１、２、３  表示制御システム
１０  表示パネル
１１、１３  スキャンライン
１２  画像制御回路
１４、２４  駆動回路
１５  データライン
２６  補償回路
２８  電流計
３０  所定参考対照表
【図１】
0003129031.tif 000003
【図２】
0003129031.tif 000004
【図３】
0003129031.tif 000005
【図４】
0003129031.tif 000006
【図５】
0003129031.tif 000007
【図６】
0003129031.tif 000008
【図７】
0003129031.tif 000009
【図８】
0003129031.tif 000010
【図９】
0003129031.tif 000011
【図１０】
0003129031.tif 000012